(57)【要約】【課題】心臓の時系列画像を再生する際に心音を含めることができるようにする。【解決手段】ボリュームデータ取得部１０および音声データ取得部２０が、心臓の時系列画像である３次元ボリュームデータ群１１０および心音を表す音声データ１２０を取得し、記憶部３０に記憶する。３次元ボリュームデータ群１１０の再生の指示がなされると、同期部４０が、３次元ボリュームデータ群１１０と音声データ１２０とを同期させ、再生制御部５０が、同期させた心臓の３次元ボリュームデータ群１１０と心音を表す音声データ１２０とをディスプレイ４において再生する。これにより、心臓の拍動に合わせて心音を再生することができる。【選択図】図１
2011212043.tif 000002
【特許請求の範囲】
【請求項１】
心臓の時系列画像を取得する画像取得手段と、
心音を表す音声を取得する音声取得手段と、
前記心臓の時系列画像と前記心音を表す音声とを時間的に同期させる同期手段と、
前記同期させた心臓の時系列画像および心音を表す音声を再生する再生制御手段とを備えたことを特徴とする医用画像再生装置。
【請求項２】
前記同期手段は、基準心電図波形に基づいて前記心臓の時系列画像と前記心音を表す音声とを時間的に同期させる手段であることを特徴とする請求項１記載の医用画像再生装置。
【請求項３】
前記再生制御手段は、前記同期させた心臓の時系列画像および心音を表す音声の再生時間を調整可能な手段であることを特徴とする請求項１または２記載の医用画像再生装置。
【請求項４】
前記心臓の時系列画像と前記心音を表す音声とが同時期に取得されてなることを特徴とする請求項１から３のいずれか１項記載の医用画像再生装置。
【請求項５】
前記心臓の時系列画像と前記心音を表す音声とが異なる時期に取得されてなることを特徴とする請求項１から３のいずれか１項記載の医用画像再生装置。
【請求項６】
前記心臓の時系列画像が、所定時間間隔により心臓を撮影することにより取得した複数の３次元画像からなることを特徴とする請求項１から５のいずれか１項記載の医用画像再生装置。
【請求項７】
前記複数の３次元画像がＣＴ装置またはＭＲＩ装置により撮影されてなることを特徴とする請求項６記載の医用画像再生装置。
【請求項８】
心臓の時系列画像を取得し、
心音を表す音声を取得し、
前記心臓の時系列画像と前記心音を表す音声とを時間的に同期させ、
前記同期させた心臓の時系列画像および心音を表す音声を再生することを特徴とする医用画像再生方法。
【請求項９】
コンピュータに、心臓の時系列画像を取得する手順と、
心音を表す音声を取得する手順と、
前記心臓の時系列画像と前記心音を表す音声とを時間的に同期させる手順と、
前記同期させた心臓の時系列画像および心音を表す音声を再生する手順とを実行させることを特徴とする医用画像再生プログラム。
【発明の詳細な説明】
【技術分野】
【０００１】
本発明は、心臓の時系列画像を再生する医用画像再生装置および方法、並びにプログラムに関するものである。
【背景技術】
【０００２】
近年、医療機器（例えば多検出器型ＣＴ等）の進歩により質の高い高解像度の３次元画像が画像診断に用いられるようになってきている。ここで、３次元画像は多数の２次元画像から構成され情報量が多いため、医師が所望の観察部位を見つけ診断することに時間を要する場合がある。そこで、注目する臓器を認識し、注目する臓器を含む３次元画像から、例えば最大値投影法（ＭＩＰ法）および最小値投影法（ＭｉｎＩＰ法）等の方法を用いて、注目する臓器を抽出してＭＩＰ表示等を行ったり、３次元画像のボリュームレンダリング（ＶＲ）表示を行ったり、ＣＰＲ（Curved Planer Reconstruction）表示を行ったりすることにより、臓器全体や病変の視認性を高め診断の効率化を図ることが行われている。
【０００３】
また、３次元画像を取得するための医療機器においては、高速撮影を行うことが可能となってきていることから、複数の３次元画像を短い時間間隔により時系列で取得することが可能となっている。このため、このように時系列で取得した３次元画像に含まれる注目する臓器を時系列に表示する、すなわち、３次元に時間を含めた４次元表示することにより、注目する臓器が動く様子を動画像を見るように観察することが可能となる（特許文献１参照）。
【０００４】
とくに、心臓の３次元画像を時系列で撮影し、３次元画像から抽出した心臓を時系列に表示することにより、心臓が拍動により動く状態を高解像度の３次元動画像にて表示できるため、心臓の動きの異常を確認できることとなる。
【０００５】
ところで、心臓に疾患がある場合には心音に雑音が含まれるため、心臓の動きを診断する際には心音が有用な情報となる。このため、心音データを解析して心臓疾患を解析する各種手法が提案されている。例えば特許文献２には、心音データを周波数解析して、大動脈弁の開放時期を決定する手法が提案されている。また特許文献３には、心音データを周波数解析することにより周波数帯域幅を求めて、この周波数帯域幅に基づいて心音成分を決定する手法が提案されている。また、特許文献４には、心音データを周波数解析して心臓疾患を解析する手法が提案されている。さらに、特許文献５には、心音データを周波数解析して、１心音周期分の心音データのスペクトルパワー密度データにおいて信号強度が最大になる周波数、スペクトルパワー密度データにおいて設定した複数個の信号強度閾値、およびそれぞれの閾値に対する周波数幅に基づいて心臓疾患の解析をする手法が提案されている。
【先行技術文献】
【特許文献】
【０００６】
【特許文献１】特開２００５−３２２２５２号公報
【特許文献２】特開２００１−２２４５６３号公報
【特許文献３】特開２００３−５５８号公報
【特許文献４】特開２００２−１５３４３４号公報
【特許文献５】特開２００９−２４０５２７号公報
【発明の概要】
【発明が解決しようとする課題】
【０００７】
しかしながら、特許文献１に記載された手法においては、心臓の動きを確認することができるが、心音を確認することができない。また、特許文献２〜５に記載された手法においては、心音を解析して心臓疾患を確認できるものの、心臓の動きを確認することができない。
【０００８】
本発明は上記事情に鑑みなされたものであり、心臓の動きの診断を心音をも用いて行うことができるようにすることを目的とする。
【課題を解決するための手段】
【０００９】
本発明による医用画像再生装置は、心臓の時系列画像を取得する画像取得手段と、
心音を表す音声を取得する音声取得手段と、
前記心臓の時系列画像と前記心音を表す音声とを時間的に同期させる同期手段と、
前記同期させた心臓の時系列画像および心音を表す音声を再生する再生制御手段とを備えたことを特徴とするものである。
【００１０】
「心臓の時系列画像」としては、時系列順に表示することにより、心臓の動きを再生することが可能であれば、任意の画像を用いることができる。具体的には、３次元画像から抽出した３次元の心臓の画像、３次元画像において心臓を含む特定のスライス位置における２次元画像、さらには単純Ｘ線撮影により取得した心臓の画像等を用いることができる。また、心臓そのもののみならず、冠動脈等の心臓を構成する構造物の時系列画像であってもよい。
【００１１】
なお、本発明による医用画像再生装置においては、前記同期手段を、基準心電図波形に基づいて前記心臓の時系列画像と前記心音を表す音声とを時間的に同期させる手段としてもよい。
【００１２】
また、本発明による医用画像再生装置においては、前記再生制御手段を、前記同期させた心臓の時系列画像および心音を表す音声の再生時間を調整可能な手段としてもよい。
【００１３】
また、本発明による医用画像再生装置においては、前記心臓の時系列画像と前記心音を表す音声とが同時期に取得されてなるものとしてもよい。
【００１４】
また、本発明による医用画像再生装置においては、前記心臓の時系列画像と前記心音を表す音声とが異なる時期に取得されてなるものとしてもよい。
【００１５】
なお、「異なる時期」としては、時間的に離れた時期であってもよいが、心臓の時系列画像の取得の前後であって、被写体が心臓の時系列画像を取得する場合と同一の状態にある時期であることが好ましい。この場合、被写体は撮影時には撮影台に寝た安静状態にあるが、撮影の前後における撮影台に寝た安静状態の被写体から、心音を表す音声を取得すればよい。
【００１６】
本発明による医用画像再生方法は、心臓の時系列画像を取得し、
心音を表す音声を取得し、
前記心臓の時系列画像と前記心音を表す音声とを時間的に同期させ、
前記同期させた心臓の時系列画像および心音を表す音声を再生することを特徴とするものである。
【００１７】
なお、本発明による医用画像再生方法をコンピュータに実行させるためのプログラムとして提供してもよい。
【発明の効果】
【００１８】
本発明によれば、心臓の時系列画像および心音を表す音声を取得し、心臓の時系列画像と心音を表す音声とを時間的に同期させ、同期させた心臓の時系列画像および心音を表す音声を再生するようにしたため、心臓の拍動に合わせて心音を再生することができる。したがって、心臓の動きおよび心音を用いての心臓の診断を正確に行うことができる。
【００１９】
また、基準心電図波形に基づいて心臓の時系列画像と心音を表す音声とを時間的に同期させることにより、心臓の拍動と心音とを正確に同期させることができる。
【００２０】
また、同期させた心臓の時系列画像および心音を表す音声の再生時間を調整可能とすることにより、調整された再生時間に応じた異なる再生速度により、心臓の時系列画像および心音を表す音声を再生することができる。
【００２１】
また、心臓の時系列画像と心音を表す音声とを同時期に取得することにより、心臓の動きと心音とが一致することとなるため、心臓の動きおよび心音を用いての心臓の診断をより正確に行うことができる。
【００２２】
また、心臓の時系列画像と心音を表す音声とを異なる時期に取得することにより、心臓の時系列画像の取得と同時に心音を表す音声を取得することが難しい場合であっても、心臓の時系列画像と心音を表す音声とを取得する状況を、安静状態のように同一とすれば、心臓の動きと心音とを概ね一致させることができ、その結果、心臓の動きおよび心音を用いての心臓の診断を比較的正確に行うことができる。
【図面の簡単な説明】
【００２３】
【図１】本発明の実施形態による医用画像再生装置の構成を示す概略ブロック図
【図２】心電図の波形を示す図
【図３】心電図の波形、心音の波形および心雑音の波形を同期させて示す図
【図４】本実施形態において行われる処理を示すフローチャート
【図５】ディスプレイに再生された心臓の３次元ボリュームデータを時系列順に示す図
【図６】再生時間を調整するためのウィンドウを示す図
【図７】心臓の３次元ボリュームデータと超音波エコー画像とを表示する状態を示す図
【発明を実施するための形態】
【００２４】
以下、図面を参照して本発明の実施形態について説明する。図１は本発明の実施形態による医用画像再生装置の構成を示す概略ブロック図である。なお、図１に示す医用画像表示装置１の構成は、補助記憶装置に読み込まれた医用画像再生処理プログラムをコンピュータ上で実行することにより実現される。このとき、この医用画像再生処理プログラムは、ＣＤ−ＲＯＭ等の記憶媒体に記憶され、もしくはインターネット等のネットワークを介して配布され、コンピュータにインストールされる。
【００２５】
本実施形態による医用画像再生装置１は、ボリュームデータ取得部１０、音声データ取得部２０、記憶部３０、同期部４０、再生制御部５０および入力部６０を備える。
【００２６】
ボリュームデータ取得部１０は、ＣＴ装置またはＭＲＩ装置等のモダリティ２において、所定の時間間隔Δｔで被写体の心臓を撮影して得られた複数の３次元ボリュームデータ１００からなる３次元ボリュームデータ群１１０を取得する、通信インターフェースの機能を有する。なお、３次元ボリュームデータ群１１０はＬＡＮ経由でモダリティ２から送信される。
【００２７】
ここで、３次元ボリュームデータ１００は、診断対象となる心臓を断層面に垂直な方向に沿って順に得られる２次元の断層像データを積層することによって取得されるものであり、本実施形態においては、ＣＴ装置またはＭＲＩ装置等のモダリティ２において撮影された複数の断層画像を重ね合わせることにより生成される。なお、ＣＴ装置を用いて取得したボリュームデータは、ボクセル毎にＸ線の吸収量を蓄えたデータとなり、各ボクセルに対して１つの画素値（ＣＴ装置で撮影した場合は、Ｘ線の吸収量を示す値）が与えられたデータとなる。
【００２８】
３次元ボリュームデータ群１１０は、例えば、被写体を一定の時間間隔Δｔで撮影を行い、時間ｔ１、ｔ２、・・・、ｔｎで撮影することにより取得した一連の３次元ボリュームデータ１００から構成される。
【００２９】
なお、３次元ボリュームデータ１００には、ＤＩＣＯＭ（Digital Imaging and Communications in Medicine）規格で規定された付帯情報が付加される。付帯情報は、例えば、個々の３次元ボリュームデータ１００により表される３次元画像を識別するための画像ＩＤ、被写体を識別するための患者ＩＤ、検査を識別するための検査ＩＤ、画像情報毎に割り振られるユニークなＩＤ（ＵＩＤ）、その画像情報が生成された検査日、検査時刻、その画像情報を取得するための検査で使用されたモダリティの種類、患者氏名、年齢、性別等の患者情報、検査部位（撮影部位、本実施形態においては心臓）、撮影条件（造影剤の使用有無や、放射線量等）、１回の検査で複数の画像を取得したときのシリーズ番号あるいは採取番号等の情報が含まれうる。
【００３０】
また、本実施形態において取得される３次元ボリュームデータ１００は、被写体の心臓を撮影することにより取得されるものである。このため、付帯情報には、ＲＲインターバルの情報が含まれる。以下、ＲＲインターバルについて説明する。
【００３１】
図２は心電図の波形を示す図である。図２に示すように心電図の波形は、Ｐ波、Ｑ波、Ｒ波、Ｓ波、Ｔ波、Ｕ波からなり、Ｒ波が最も高い振幅を示している。そして、Ｑ波からＴ波の終わりまでが心室収縮期、Ｔ波の終わりから次のＱ波までが心室拡張期を表すものとなっている。ＲＲインターバルは、そのＲＲインターバルが付与された３次元ボリュームデータが、心電図におけるＲ波と次のＲ波との間の何％のタイミングで取得した画像であるかを示す指標である。例えばＲＲ０％の場合、そのＲＲインターバルが付帯情報に含まれる３次元ボリュームデータ１００は、Ｒ波が開始するタイミングで取得されたものであることを表す。またＲＲ５０％の場合、そのＲＲインターバルが付帯情報に含まれる３次元ボリュームデータ１００は、Ｒ波とＲ波との間の周期を二等分するタイミングで取得されたものであることを表す。
【００３２】
音声データ取得部２０は、モダリティ２における被写体の撮影中に、被写体の胸部の所定値に装着されたマイクロフォンあるいはセンサ等を用いて被写体から検出した、撮影中の心音を表す音声データ１２０を取得する、通信インターフェースの機能を有する。ここで、音声データ１２０はＬＡＮ経由でモダリティ２から送信される。なお、心音を表す音声データとしては、撮影と同時に被写体から取得したものには限定されない。例えば、撮影中は被写体から心音を取得することは難しい場合があるため、撮影前あるいは撮影後において、被写体が撮影中と同じ状態にあるときに被写体から取得した音声データであってもよい。また、人工的に作成した心音の音声データであってもよい。なお、心音はマイクロフォンにより取得するのみならず、聴診器等の他の手段を用いて取得してもよい。
【００３３】
記憶部３０は、ハードディスク等の大容量の記憶装置であり、３次元ボリュームデータ群１１０および音声データ１２０が記憶される。
【００３４】
同期部４０は、心臓の３次元ボリュームデータ群１１０と心音を表す音声データ１２０とを時間的に同期させる。以下、同期について説明する。上述したように各３次元ボリュームデータ１００には、ＤＩＣＯＭの付帯情報にＲＲインターバルが含まれる。したがって、同期部４０は、各３次元ボリュームデータ１００の付帯情報に含まれるＲＲインターバルの情報を取得し、ある基準となる心電図波形（基準心電図波形）上に、各３次元ボリュームデータ１００のＲＲインターバルを合わせ込むことにより、３次元ボリュームデータ１００と基準心電図波形とを同期させる。
【００３５】
また、心臓の動きには拡張期と収縮期とがあり、左心室が一番小さくなっている状態が心臓が最も拡張した状態となる。また、心臓が最も拡張した状態は、ＲＲインターバルの７０〜８０％となることが分かっている。このため、同期部４０は、３次元ボリュームデータ１００から心臓を抽出し、３次元ボリュームデータ群１１０から、最も心臓が拡張した状態の３次元ボリュームデータ１００を抽出し、その３次元ボリュームデータ１００を基準心電図波形のＲＲインターバルにおける７０〜８０％の位置に合わせ込み、これを基準として他の３次元ボリュームデータ１００を基準心電図波形に合わせ込むことにより、３次元ボリュームデータ１００と基準心電図波形とを同期させるようにしてもよい。
【００３６】
次いで、音声データ１２０の同期について説明する。図３は心電図の波形、心音の波形および心雑音の波形を同期させて示す図である。図３に示すように、心音の波形はＩ音、ＩＩ音、ＩＩＩ音およびＩＶ音を含み、心雑音は、収縮期雑音、拡張期雑音および連続性雑音を含む。このため、音声データを信号処理して心音の波形を取得し、心音の波形におけるＩ音の開始位置と、基準心電図波形におけるＲ波のピーク位置とが一致するように音声データ１２０を基準心電図波形に合わせ込むことにより、心音を表す音声データ１２０と基準心電図波形とを同期させる。
【００３７】
また、図３より、心雑音における拡張期雑音が終了する位置は、ＲＲインターバルの７０〜８０％となる。このため、同期部４０は、拡張期心雑音の終了位置と基準心電図波形のＲＲインターバルにおける７０〜８０％の位置とが一致するように音声データ１２０を基準心電図波形に合わせ込むことにより、音声データ１２０と基準心電図波形とを同期させるようにしてもよい。
【００３８】
以上のように、３次元ボリュームデータ群１１０および音声データ１２０を基準心電図波形とそれぞれ同期させることにより、３次元ボリュームデータ群１１０と音声データ１２０とを時間的に同期させることができる。
【００３９】
なお、同期部４０における同期の処理は、３次元ボリュームデータ群１１０の再生時に行うようにしてもよく、３次元ボリュームデータ群１１０および音声データ１２０を装置１内に取得した際に同期の処理を行い、時間的に同期させた３次元ボリュームデータ群１１０および音声データ１２０を記憶部３０に記憶しておくようにしてもよい。また、時間的に同期させた３次元ボリュームデータ群１１０および音声データ１２０を合成することにより、ＭＰＥＧ形式等の動画像データに変換して、記憶部３０に記憶しておくようにしてもよい。
【００４０】
再生制御部５０は、装置１に対して入力部６０から３次元ボリュームデータ群１１０の再生の指示があった場合に、スピーカ４Ａを備えたディスプレイ４に時間的に同期させた３次元ボリュームデータ群１１０および音声データ１２０を再生する。なお、３次元ボリュームデータ群１１０については、心臓抽出処理や冠動脈抽出処理を行った後、ＭＩＰ、ＶＲ、ＣＰＲ等の表示態様にて再生するようにしてもよい。また、各３次元ボリュームデータ１００の同一位置のスライス面における心臓の断面を表す２次元画像を３次元ボリュームデータ１００からそれぞれ抽出し、抽出した２次元画像を時系列順に再生するようにしてもよい。
【００４１】
ここで、心臓抽出処理としては、例えば特開平２００８−２５９６８２号公報に記載されたように、部位認識を行い、その結果に基づいて心臓を抽出する手法を用いることができる。特開平２００８−２５９６８２号公報に記載された手法は、入力された３次元ボリュームデータ１００を構成する断層画像を正規化し、正規化された断層画像から多数の特徴量を算出し、正規化した断層画像毎に算出された特徴量を、AdaBoost手法によって得られた判別器に入力して、部位らしさを表す部位毎のスコアを算出し、算出された部位スコアを入力として、動的計画法を用いて、人体の体部の並び順が保たれるように断層画像に表された部位（すなわち心臓）を決定する手法である。また、テンプレートマッチングによる方法（例えば特開２００２−２５３５３９号公報参照）および、各部位（すなわち心臓）の固有画像を用いた方法（例えば特開２００３−１０１６６号公報参照）等を用いることもできる。
【００４２】
また、心臓抽出処理として、特開２００９−２１１１３８号公報に記載された手法を用いることも可能である。特開２００９−２１１１３８号公報に記載された手法は、まず３次元ボリュームデータ１００を構成する２次元の断層像データにより表される断層画像を表示し、断層画像に対するユーザによるポインティングデバイス等の操作に応じて、心臓領域内の任意の点を設定する（以下、ユーザ設定点とする）。次に、AdaBoost手法等の機械学習によって取得された識別器を用いて心臓領域の輪郭の角ばった箇所を基準点として検出する。さらに、ユーザ設定点を中心として、心臓を含む程度の大きさの３次元領域（以下、処理対象領域とする）内の各点（ボクセル）について、AdaBoost手法等の機械学習によって取得された識別器を用いて、心臓の輪郭上の点かどうかを表す評価値を算出する。そして、処理対象領域の外周上の各点を心臓領域外の背景領域内の点と予め判定するとともに、ユーザ設定点および基準点が心臓領域内の点であると予め判定した上で、さらに処理対象領域内の各点の評価値を用いて、グラフカット法を適用することによって、３次元ボリュームデータ１００により表される３次元画像から心臓領域を抽出する。
【００４３】
また、冠動脈抽出処理としては、例えば、特願２００９−４８６７９号および特願２００９−６９８９５号において提案される方法を用いることができる。この方法は以下のようにして冠動脈を抽出するものである。まず、ボリュームデータを構成するボクセルデータの値に基づいて、冠動脈の芯線を構成する複数の候補点の位置と主軸方向を算出する。もしくは、ボリュームデータについてヘッセ行列を算出し、算出されたヘッセ行列の固有値を解析することにより、冠動脈の芯線を構成する複数の候補点の位置情報と主軸方向を算出する。そして、候補点周辺のボクセルデータについて冠動脈らしさを表す特徴量を算出し、算出された特徴量に基づいてそのボクセルデータが冠動脈領域を表すものであるか否かを判別する。特徴量に基づく判別は、マシンラーニングにより予め取得された評価関数に基づいて行う。これにより、３次元ボリュームデータ１００から心臓の冠動脈を抽出することができる。
【００４４】
入力部６０は、キーボードおよびマウス等の公知の入力装置からなる。
【００４５】
次いで、本実施形態において行われる処理について説明する。図４は本実施形態において行われる処理を示すフローチャートである。まず、ボリュームデータ取得部１０および音声データ取得部２０が、上述したように心臓の３次元ボリュームデータ群１１０および心音を表す音声データ１２０をモダリティ２から取得し（ステップＳＴ１）、記憶部３０に記憶する（ステップＳＴ２）。そして、３次元ボリュームデータ群１１０の再生の指示が入力部６０からなされると（ステップＳＴ３肯定）、同期部４０が、３次元ボリュームデータ群１１０と基準心電図波形とを同期させ、さらに音声データ１２０と基準心電図波形とを同期させることにより、３次元ボリュームデータ群１１０と音声データ１２０とを同期させる（ステップＳＴ４）。そして、再生制御部５０が、同期させた心臓の３次元ボリュームデータ群１１０と心音を表す音声データ１２０とをディスプレイ４において再生し（ステップＳＴ５）、処理を終了する。
【００４６】
図５はディスプレイ４に再生された心臓の３次元ボリュームデータ１００を時系列順に示す図である。図５に示すように、ディスプレイ４には、心臓が拍動する状態が例えばＶＲ表示され、心臓の拍動に併せてスピーカー４Ａから心音が再生されることとなる。なお、冠動脈を抽出した場合には、心臓の拍動に合わせた冠動脈の状態を心音とともに再生することができる。
【００４７】
このように、本実施形態においては、心臓の３次元ボリュームデータ群１１０および心音を表す音声データ１２０を取得し、３次元ボリュームデータ群１１０と音声データ１２０とを時間的に同期させ、同期させた心臓の３次元ボリュームデータ群１１０と心音を表す音声データ１２０とを再生するようにしたため、心臓の拍動に合わせて心音を再生することができる。したがって、心臓の動きおよび心音を用いての心臓の診断を正確に行うことができる。
【００４８】
また、基準心電図波形に基づいて心臓の３次元ボリュームデータ群１１０と心音を表す音声データ１２０とを時間的に同期させているため、心臓の拍動と心音とを正確に同期させることができる。
【００４９】
なお、上記実施形態においては、３次元ボリュームデータ群１１０および音声データ１２０の再生する際の再生時間を変更するようにしてもよい。具体的には、図６に示すようにディスプレイ４に、再生時間を調整するためのウィンドウ７０を表示し、操作者がウィンドウ７０に含まれる調整つまみ７２を操作することにより、時間表示領域７４に表示される再生時間を調整するようにすればよい。なお、再生時間を短縮させることにより再生速度は速くなり、再生時間を長くすることにより再生速度は遅くなる。
【００５０】
また、上記実施形態においては、心臓の３次元ボリュームデータ群１１０を時系列順に再生する場合について説明しているが、心臓の時系列画像としては３次元ボリュームデータ１００に限定されるものではなく、単純Ｘ線撮影により所定の時間間隔により取得した一連の心臓の画像からなる画像群を用いることも可能である。
【００５１】
また、上記実施形態に置いては、心音をマイクロフォン等により取得しているが、超音波診断装置を用いて、被写体の心音を表す音声データを取得してもよい。この場合、心臓の超音波エコー信号が取得され、これに基づいて血流情報を表すドプラ信号が検出され、ドプラ信号が心音を表す音声データに変換されて、音声データ取得部２０により取得される。ここで、心臓の弁が完全に閉じていないような状態の場合は、その隙間を血液が流れることにより流速が非常に速くなり、ドプラ信号から変換した音声データは高音となる。また、逆の場合には心音は低音となる。したがって、音声データにおける高音と高音との間隔（または低音と低音との間隔）を、基準心電図波形におけるＲＲインターバルに合わせることにより、音声データと基準心電図波形とを同期させることができる。
【００５２】
なお、超音波診断装置から心音を表す音声データを取得するようにした場合、心臓の超音波エコー画像を同時に取得することができる。この場合、図７に示すように、ディスプレイ４には、心臓の３次元ボリュームデータ群１１０に加えて、心臓の超音波エコー画像１３０についても、同期をとった状態で再生することができる。これにより、心臓の３次元ボリュームデータ、超音波エコー画像および心音を用いての総合的な診断が可能となる。
【符号の説明】
【００５３】
１    医用画像再生装置
２    モダリティ
４    ディスプレイ
１０    ボリュームデータ取得部
２０    音声データ取得部
３０    記憶部
４０    同期部
５０    再生制御部
６０    入力部
１００    ３次元ボリュームデータ
１１０    ３次元ボリュームデータ群
１２０    音声データ
【図１】
2011212043.tif 000003
【図２】
2011212043.tif 000004
【図３】
2011212043.tif 000005
【図４】
2011212043.tif 000006
【図５】
2011212043.tif 000007
【図６】
2011212043.tif 000008
【図７】
2011212043.tif 000009